(57)【要約】      （修正有）【課題】両面使用ではなく、片面使用であって、左置きの水切りカゴと右置きの水切りカゴの両方に対応可能な水切りトレーを提供すること。【解決手段】トレー面部の周端にトレー面に対して上下方向に延出して形成される周壁部２と、トレー面部の裏面であって、対峙する２つの側方周壁部２１、２２間の中間において、側方周壁部２１、２２と平行に延出して形成される中間壁部３とを有し、裏側における中間壁部３の高さは、側方周壁部２１、２２の高さより高く、裏側における側方周壁部２１、２２と中間壁部３は互いに平行で且つ同じ下り傾斜角度で傾斜し、下り傾斜方向の先の２つの角にそれぞれ排水口を設け、左傾斜姿勢と右傾斜姿勢を採る水切りトレー。【選択図】図２
2014209972.tif 000002
【特許請求の範囲】
【請求項１】
平面視が略長方形又は略正方形のトレー面部と、
該トレー面部の周端にトレー面に対して上下方向に延出して形成される周壁部と、
該トレー面の裏面であって、該周壁部を形成する４辺の中、対峙する２つの側方周壁部間の中間において、該側方周壁部と平行に延出して形成される中間壁部とを有し、
該トレー面部の裏側における該中間壁部の高さは、該側方周壁部の高さより高く、
該トレー面部の裏側における該側方周壁部と該中間壁部は互いに平行で且つ同じ下り傾斜角度で傾斜し、
左右いずれかの側部において該中間壁部と後方周壁部と一方の側方周壁部と連続する略コ字形状の下端面は、仮想の同一面内にあり、
下り傾斜方向の先の２つの角にそれぞれ排水口を設けたことを特徴とする水切りトレー。
【請求項２】
該排水口は、該表側の周壁部の一部を切り欠いて形成したものであることを特徴とする請求項１記載の水切りトレー。
【請求項３】
該トレー面部の裏側における前方周壁部の高さは、ゼロ又はゼロに近いものであることを特徴とする請求項１又は２記載の水切りトレー。
【発明の詳細な説明】
【技術分野】
【０００１】
本発明は、食器洗いカゴの下に置き、溜まった水をシンク槽へ排水する水切りトレーに関するものである。
【背景技術】
【０００２】
流し台で洗った食器は、通常、食器洗いカゴに置かれる。この際、食器から垂れる水は水切りトレーに溜められ、シンク槽に流される。
【０００３】
図１８に示すように、水切りカゴ１００は、流し台のシンク槽１０１の左右どちらか奥の位置に設置したい場合が多い。なお、符号１０２は蛇口、Ｐは食器を洗う人である。水切りカゴ１００を左右どちらに置くかで、水切りトレーの排水方向が異なるため、販売側（製造側）としては、２種類の水切りトレーを準備する必要があった。また、ひとつの水切りトレーで左置きと右置きの両方に対応可能な水切りトレーも知られている。
【０００４】
特開２０１１−６７５３１号公報には、排水口をトレー周縁部に偏芯して設けると共に、トレーの両面に載置物を載置可能な載置面を形成した水切りトレーが開示されている。この水切りトレーは、両面使用が可能となり、かつ排水口が偏芯して設けられているため、載置面を切り替えたときに配置のバリエーションが増えるというものである。なお、特開２０１１−６７５３１号公報記載の水切りトレーの載置面には、食器類が安定して設置できるようリブが多数形成されている。
【先行技術文献】
【特許文献】
【０００５】
【特許文献１】特開２０１１−６７５３１号公報
【発明の概要】
【発明が解決しようとする課題】
【０００６】
しかしながら、特開２０１１−６７５３１号公報記載の水切りトレーは、両面使用であるため、両面にリブが形成されており、使用の際の違和感は否めない。また、長期間の使用後、水切りカゴの設置位置を左右で変えたい場合、裏面であったものが今度は食器類が載る載置面となるため、いくら洗ったとしても衛生上の不快感は否めないという問題がある。
【０００７】
従って、本発明の目的は、両面使用ではなく、片面使用であって、左置きの水切りカゴと右置きの水切りカゴの両方に対応可能な水切りトレーを提供することにある。
【課題を解決するための手段】
【０００８】
かかる実情において、本発明者は鋭意検討を行った結果、略長方形のトレー面を有し、底面を前方下り傾斜であって、且つ左傾斜設置又は右傾斜設置となる傾斜構造とし、手前の２つの角部に排水口を設ければ、両面使用ではなく、片面使用であって、左置きの水切りカゴと右置きの水切りカゴの両方に対応可能であることを見出し、本発明を完成するに至った。
【０００９】
すなわち、本発明は、平面視が略長方形又は略正方形のトレー面部と、該トレー面部の周端にトレー面に対して上下方向に延出して形成される周壁部と、該トレー面の裏面であって、該周壁部を形成する４辺の中、対峙する２つの側方周壁部間の中間において、該側方周壁部と平行に延出して形成される中間壁部とを有し、該トレー面部の裏側における該中間壁部の高さは、該側方周壁部の高さより高く、該トレー面部の裏側における該側方周壁部と該中間壁部は互いに平行で且つ同じ下り傾斜角度で傾斜し、左右いずれかの側部において該中間壁部と後方周壁部と一方の側方周壁部と連続する略コ字形状の下端面は、仮想の同一面内にあり、下り傾斜方向の先の２つの角にそれぞれ排水口を設けたことを特徴とする水切りトレーを提供するものである。
【発明の効果】
【００１０】
本発明によれば、両面使用ではなく、片面使用であって、左置きの水切りカゴと右置きの水切りカゴの両方に対応が可能である。
【図面の簡単な説明】
【００１１】
【図１】本発明の実施の形態における水切りトレーの斜視図である。
【図２】図１の水切りトレーを裏側から見た斜視図である。
【図３】図１の中立姿勢における水切りトレーを上から見た図である。
【図４】図３の側面図である。
【図５】図３の背面図である。
【図６】左側部が設置面となった水切りトレーの背面図である。
【図７】図６の左側面図である。
【図８】右側部が設置面となった水切りトレーの背面図である。
【図９】図８の左側面図である。
【図１０】図１の水切りトレーの使用状態図である。
【図１１】本発明の水切りトレーの使用方法を説明する簡略図である。
【図１２】図１１の水切りトレーの他の使用方法を説明する簡略図である。
【図１３】本発明の他の水切りトレーの使用方法を説明する簡略図である。
【図１４】図１３の水切りトレーの他の使用方法を説明する簡略図である。
【図１５】本発明の他の水切りトレーの使用方法を説明する簡略図である。
【図１６】図１５の水切りトレーの他の使用方法を説明する簡略図である。
【図１７】水切りトレーの変形例を示す側面図である。
【図１８】従来の水切りトレーの使用方法を説明する簡略図である。
【発明を実施するための形態】
【００１２】
次に、本発明の実施の形態における水切りトレーを図１〜図１０を参照して説明する。本明細書中、「前後」及び「左右」は排水口４を手前側とする位置関係を言う。また、図中、Ｆは前方向を、Ｂは後方向を、Ｌは左方向を、Ｒは右方向を示す。水切りトレー１０は、平面視が略長方形のトレー面部１と、トレー面部１の周端にトレー面１１に対して上下方向に延出して形成される周壁部２と、トレー面１の裏面であって、周壁部２を形成する４辺の中、対峙する２つの側方周壁部２１、２２間の中間において、側方周壁部２１、２２と平行に延出して形成される中間壁部３とを有し、トレー面部１の裏側における中間壁部３の高さは、側方周壁部２１、２２の高さより高く、トレー面部１の裏側における側方周壁部２１、２２と中間壁部３は互いに平行で且つ同じ下り傾斜角度で傾斜し、左右いずれかの側部において中間壁部３と後方周壁部と一方の側方周壁部と連続する略コ字形状の下端面は、仮想の同一面内にあり、下り傾斜方向の先の２つの角にそれぞれ排水口４、４を設けたものである。
【００１３】
トレー面部１において、略長方形の「略」は図３に示すように、後方角部ｃのアール形状及び前方の２つの角部の傾斜があってもよいことを意味する。すなわち、略長方形は長方形の些細な変形を含む広い概念である。またトレー面１は、平坦面に限定されず、起伏や微少な凹凸があってもよい。
【００１４】
水切りトレー１０において、周壁部２は、排水口４を除いて、トレー面１１から上方に起立させることで、切り水を溜めて排水口４へ誘導する機能を奏する。また、トレー面１１から上方に起立する周壁部２の内周面は、内側にやや下り傾斜とすることが、トレー面１１と周壁部２との接続分の洗い残しがない点で好ましい。また、トレー面部１の表側におけるトレー面１１からの周壁部２の高さは、周方向において同一とすることが、機能を損なわず製作が容易である点からも好ましい。
【００１５】
排水口４は、前方の２つの角部に形成することで、右置き食器洗いカゴと左置き食器洗いカゴの両方に対応できる。また、前方への下り傾斜と横側からの下り傾斜の両方の傾斜が集まる点で好ましい。排水口４は、表側の周壁部２の一部を切り欠いて形成したものである。すなわち、排水口４は、トレー面１１より高い障害物がなくなり、トレー面１１からシンク槽５へ水を直接、排出することができる。また、排出口４は、トレー面１１から排出端に向けて、下り傾斜とすることが、水切りがよくなる点で好ましい。排水口４の幅は、１５ｍｍ前後で適宜決定される。
【００１６】
水切りトレー１０において、中間壁部３は、トレー面部１の裏面で、周壁部２を形成する４辺の中、対峙する長手方向に延びる２つの側方周壁部２１、２２間の中間であって、所定の高さで且つ側方周壁部２１、２２と平行に延出して形成される。また、トレー面１１の下端から下方に延出する中間壁部３の延出長さ（高さ）は、トレー面１１の下端から下方に延出する側方周壁部２１、２２の延出長さ（高さ）より長い（高く）。また、トレー面部１の裏側における側方周壁部２１、２２と中間壁部３は、互いに平行で且つ同じ下り傾斜角度で前方へ傾斜している。これにより、水切りトレー１０を左右方向の半分で設置面に設置し、トレー面１１を傾斜姿勢とすることができる。
【００１７】
水切りトレー１０は、左側部において中間壁部３と後方周壁部２３１と左側方周壁部２１に亘り連続する略コ字形状の下端面は、同一面（仮想）内にあり、右側部において中間壁部３と後方周壁部２３２と右側方周壁部２２に亘り連続する略コ字形状の下端面は、同一面（仮想）内にある。これにより、左側部で設置面に設置する場合、中間壁部３と後方周壁部２３１と左側方周壁部２１に亘り連続する略コ字形状の下端面が、例えば流し台の天面に当たりガタツクことなく設置できる。また、右側部で設置面に設置する場合、中間壁部３と後方周壁部２３２と右側方周壁部２２に亘り連続する略コ字形状の下端面が、例えば流し台の天面に当たりガタツクことなく設置できる。なお、中間壁部３は、トレー面部１の前端手前で途切させており、食器洗いをする者から見えないようにしている。なお、中間壁部３は、図２及び図４に示すように、途中で途切れず、前端まで延びていてもよい。
【００１８】
後方周壁部２３は、図５に示すように、側方周壁部２１、２２間の中間において中間壁部３の高さと同じで高く、両端部においては、側方周壁部２１、２２の高さと同じで低くなっている。また、後方周壁部２３の下端は、中間の高さと両端部の高さを繋いだ傾斜形状となっている。これにより、左側部を設置面とする場合、図６に示すような右上がり傾斜姿勢となり、右側部を設置面とする場合、図８に示すような左上がり傾斜姿勢となる。上記のような傾斜姿勢の場合、傾斜角度αは、大きくする必要はなく、５度前後でよい。このような角度であれば、水は排出口から確実に流すことができる。
【００１９】
また、トレー面部１の裏側における前方周壁部の高さは、ゼロ又はゼロに近いものである。トレー面部１の裏側における前方周壁部の高さが実質ないものであっても、中間壁部３と後方周壁部２３１と左側方周壁部２１に亘り連続する略コ字形状の下端面又は中間壁部３と後方周壁部２３２と右側方周壁部２２に亘り連続する略コ字形状の下端面で設置は安定する。
【００２０】
次に、水切りトレー１０の使用方法について図１０及び図１１を参照して説明する。図１１は、図１０の形態を含めた簡略図で示したものであり、符号９は食器洗いカゴ２０の脚部を示し、一方向矢印（符号Ｙ）は、前方下り傾斜の方向を示し、両向き矢印（符号Ｘ）は、設置部を示す。すなわち、図１１の場合、水切りトレー１０を左置きとする場合、左側部の設置（図１１中、下側部設置符号Ｘ）であり、水切りトレー１０を右置きとする場合、右側部の設置（図１１中、下側部設置符号Ｘ）である。図１０は、図１１の左置き、すなわち、水切りトレー１０をシンク槽５の左に置く場合である。水切りトレー１０は、食器洗いカゴ２０の下方に設置される。本例では、食器洗いカゴ２０は線材で形成され、４つの脚部２７を有している。水切りトレー１０は、この４つの脚部２７間に食器洗いカゴ２０とは別途の部材として、流し台に置かれ、排水口４ａは、シンク槽５を臨んでいる。水切りトレー１０の設置は、水切りトレー１０の左側部が設置面となり、トレー面１１は、前方傾斜で且つ右上がり姿勢となる。食器２５は洗われて食器洗いカゴ２０に置かれ、食器２５に付いた水が水切りトレー１０内に垂れ落ちる。水切りトレー１０内に垂れ落ちた水は、排水口４ａ方向に流れ、排水口４ａからシンク槽内へ流れ落ちる。なお、図１１の右側の図のように、水切りトレー１０をシンク槽５の右に置く場合、水切りトレー１０の設置は、水切りトレー１０の右側部が設置面となり、トレー面１１は、前方傾斜で且つ左上がり姿勢となる。食器２５は洗われて食器洗いカゴ２０に置かれ、食器２５に付いた水が水切りトレー１０内に垂れ落ちる。水切りトレー１０内に垂れ落ちた水は、排水口４ｂ方向に流れ、排水口４ｂからシンク槽内へ流れ落ちる。このように、水切りトレー１０は、右置き及び左置きのいずれの場合にも裏面を使用することなく、片面のみで使用できる。なお、図１０において、水切りトレー１０の設置方法としては、特に制限されず、食器洗いカゴ２０の４つの脚部に、対峙する２つの脚部に差し渡し状の棒部材があれば、それに載せてもよい。この場合、棒部材で構成される載置部が水平面を構成するものであればよい。また、食器洗いカゴ２０も限定されず、種々のものが適用できる。
【００２１】
なお、水切りトレー１０は、図１２に示すような設置方法であってもよい。図１２中、図１１と同一構成要素には同一符号を付して、その説明を省略し、異なる点について、主に説明する。すなわち、図１２において、図１１と異なる点は、シンク槽５に対して、長手方向が前後方向となるように設置したものである。本例において、水切りトレー１０をシンク槽５の左側に設置する場合（図１２中の左側）、水切りトレー１０の右側部が設置面となり、トレー面１１は、前方傾斜で且つ左上がり姿勢となる。食器は洗われて食器洗いカゴに置かれ、食器に付いた水が水切りトレー１０内に垂れ落ちる。水切りトレー１０内に垂れ落ちた水は、排水口４ｂ方向に流れ、排水口４ｂからシンク槽５内へ流れ落ちる。
【００２２】
図１２において、水切りトレー１０をシンク槽５の右側に設置する場合（図１２中の右側）、水切りトレー１０の左側部が設置面となり、トレー面１１は、前方傾斜で且つ右上がり姿勢となる。食器は洗われて食器洗いカゴに置かれ、食器に付いた水が水切りトレー内に垂れ落ちる。水切りトレー内に垂れ落ちた水は、排水口４ａ方向に流れ、排水口４ａからシンク槽５内へ流れ落ちる。
【００２３】
なお、水切りトレー１０は、図１３に示すような水切りトレー１０ａであってもよい。図１３中、図１１と同一構成要素には同一符号を付して、その説明を省略し、異なる点について、主に説明する。すなわち、水切りトレー１０ａにおいて、水切りトレー１０と異なる点は、短手方向に延びる周壁部を左右周壁部とした点にある。このため、中間壁部３は、短手方向に延びる左右周壁部の中間に左右周壁部と平行して設置したものである。すなわち、水切りトレー１０ａは短手方向に下り傾斜であり、長手方向の半分で設置するものである。
【００２４】
本例において、水切りトレー１０ａをシンク槽５の左側に長手方向が左右方向となるように設置する場合（図１３中の左側）、水切りトレー１０ａの右側部が設置面となり、トレー面１１は、前方傾斜で且つ左上がり姿勢となる。食器は洗われて食器洗いカゴに置かれ、食器に付いた水が水切りトレー１０ａ内に垂れ落ちる。水切りトレー１０ａ内に垂れ落ちた水は、排水口４ｂ方向に流れ、排水口４ｂからシンク槽５内へ流れ落ちる。
【００２５】
図１３において、水切りトレー１０ａをシンク槽５の右側に長手方向が左右方向となるように設置する場合（図１３中の右側）、水切りトレー１０の左側部が設置面となり、トレー面１１は、前方傾斜で且つ右上がり姿勢となる。食器は洗われて食器洗いカゴに置かれ、食器に付いた水が水切りトレー内に垂れ落ちる。水切りトレー内に垂れ落ちた水は、排水口４ａ方向に流れ、排水口４ａからシンク槽５内へ流れ落ちる。
【００２６】
なお、水切りトレー１０ａは、図１４に示すような設置方法であってもよい。図１４中、図１３と同一構成要素には同一符号を付して、その説明を省略し、異なる点について、主に説明する。すなわち、図１４において、図１３と異なる点は、シンク槽５に対して、長手方向が前後方向となるように設置したものである。本例において、水切りトレー１０ａをシンク槽５の左側に設置する場合（図１４中の左側）、水切りトレー１０ａの左側部が設置面となり、トレー面１１は、前方傾斜で且つ右上がり姿勢となる。食器は洗われて食器洗いカゴに置かれ、食器に付いた水が水切りトレー１０内に垂れ落ちる。水切りトレー１０内に垂れ落ちた水は、排水口４ａ方向に流れ、排水口４ａからシンク槽５内へ流れ落ちる。
【００２７】
図１４において、水切りトレー１０ａをシンク槽５の右側に設置する場合（図１４中の右側）、水切りトレー１０の右側部が設置面となり、トレー面１１は、前方傾斜で且つ左上がり姿勢となる。食器は洗われて食器洗いカゴに置かれ、食器に付いた水が水切りトレー内に垂れ落ちる。水切りトレー内に垂れ落ちた水は、排水口４ｂ方向に流れ、排水口４ｂからシンク槽５内へ流れ落ちる。
【００２８】
なお、水切りトレー１０は、図１５に示すような水切りトレー１０ｂであってもよい。図１５中、図１１と同一構成要素には同一符号を付して、その説明を省略し、異なる点について、主に説明する。すなわち、水切りトレー１０ｂにおいて、水切りトレー１０と異なる点は、トレー面１１を略正方形とした点である。中間壁部３は、対峙する２つの左右周壁部の中間に左右周壁部と平行して設置したものである。すなわち、水切りトレー１０ｂは中間壁部３が延びる方向に下り傾斜であり、中間壁部３で区画される半分で設置するものである。
【００２９】
本例において、水切りトレー１０ｂをシンク槽５の左側に設置する場合（図１５中の左側）、水切りトレー１０ｂの左側部が設置面となり、トレー面１１は、前方傾斜で且つ右上がり姿勢となる。食器は洗われて食器洗いカゴに置かれ、食器に付いた水が水切りトレー１０ｂ内に垂れ落ちる。水切りトレー１０ｂ内に垂れ落ちた水は、排水口４ａ方向に流れ、排水口４ａからシンク槽５内へ流れ落ちる。
【００３０】
図１５において、水切りトレー１０ｂをシンク槽５の右側に設置する場合（図１５中の右側）、水切りトレー１０ｂの右側部が設置面となり、トレー面１１は、前方傾斜で且つ左上がり姿勢となる。食器は洗われて食器洗いカゴに置かれ、食器に付いた水が水切りトレー内に垂れ落ちる。水切りトレー内に垂れ落ちた水は、排水口４ｂ方向に流れ、排水口４ｂからシンク槽５内へ流れ落ちる。
【００３１】
なお、水切りトレー１０ｂは、図１６に示すような設置方法であってもよい。図１６中、図１５と同一構成要素には同一符号を付して、その説明を省略し、異なる点について、主に説明する。すなわち、図１６において、図１５と異なる点は、中間壁部３が前後方向に延びるように水切りトレー１０ｂを設置したものである。本例において、水切りトレー１０ｂをシンク槽５の左側に設置する場合（図１６中の左側）、水切りトレー１０ｂの右側部が設置面となり、トレー面１１は、前方傾斜で且つ左上がり姿勢となる。食器は洗われて食器洗いカゴに置かれ、食器に付いた水が水切りトレー１０ｂ内に垂れ落ちる。水切りトレー１０内に垂れ落ちた水は、排水口４ｂ方向に流れ、排水口４ｂからシンク槽５内へ流れ落ちる。
【００３２】
図１６において、水切りトレー１０ｂをシンク槽５の右側に設置する場合（図１６中の右側）、水切りトレー１０ｂの左側部が設置面となり、トレー面１１は、前方傾斜で且つ右上がり姿勢となる。食器は洗われて食器洗いカゴに置かれ、食器に付いた水が水切りトレー内に垂れ落ちる。水切りトレー内に垂れ落ちた水は、排水口４ａ方向に流れ、排水口４ａからシンク槽５内へ流れ落ちる。
【００３３】
本発明の水切りトレーは前記実施の形態例に限定されず、種々の変形例を採ることができる。すなわち、水切りトレーの裏面構造において、周壁部と中間壁部間の下端に該両部で形成される空間を塞ぐような底板が形成されていてもよい。これにより、底板が設置面となり、前記形態と同様の効果を奏する。また、図１７に示すように、周壁部２１、２２及び中間壁部３の下端の長手方向の一部が切り欠かれていてもよい。この切り欠き部２１１、３１は、前記実施の形態例と同様の効果を奏する他、設置部分を、流し台では無く、食器洗いカゴの線材に係止する方法とすることができる。
【産業上の利用可能性】
【００３４】
本発明によれば、両面使用ではなく、片面使用であって、左置きの水切りカゴと右置きの水切りカゴの両方に対応が可能である。このため、シンク槽位置が異なる種々の流し台に適用できる。
【符号の説明】
【００３５】
１    トレー面部
２    周壁部
３    中間壁部
４    排水口
５    シンク槽
１０〜１０ｂ    水切りトレー
１１  トレー面
２０  食器洗いカゴ
２１  左方周壁部
２２  右方周壁部
２３  後方周壁部
２４  前方周壁部
【図１】
2014209972.tif 000003
【図２】
2014209972.tif 000004
【図３】
2014209972.tif 000005
【図４】
2014209972.tif 000006
【図５】
2014209972.tif 000007
【図６】
2014209972.tif 000008
【図７】
2014209972.tif 000009
【図８】
2014209972.tif 000010
【図９】
2014209972.tif 000011
【図１０】
2014209972.tif 000012
【図１１】
2014209972.tif 000013
【図１２】
2014209972.tif 000014
【図１３】
2014209972.tif 000015
【図１４】
2014209972.tif 000016
【図１５】
2014209972.tif 000017
【図１６】
2014209972.tif 000018
【図１７】
2014209972.tif 000019
【図１８】
2014209972.tif 000020